(57)【要約】【課題】サービス業者が提供するサービスが他の使用者へ違法に複製されたり、自由に使われてしまい、サービス事業者の投資が回収できない問題があった。【解決手段】接続サーバ２００では各ネット家電５００がインターネット接続に必要な接続情報（以下、ＩＳＰ接続情報）を蓄積するネット家電設定情報蓄積手段およびサービス受信情報の複製を制限する情報制限手段と、ネット家電からの接続確立時に端末機器特定（ネット家電が設置された家庭宅の識別番号）による認証を行う端末機器特定認証手段、ネット家電からのＩＳＰ接続情報要求に応じて、ネット家電設定情報蓄積手段に蓄積されたＩＳＰ接続情報を検索する検索処理手段、端末機器特定に対応するＩＳＰ接続情報をネット家電に送信するＩＳＰ接続情報送信手段を含み、各ネット家電は、接続サーバへの接続を行う接続手段とＩＳＰ接続情報を受信するＩＳＰ接続情報受信手段を含む。【選択図】　図７
2004145515.tif 000002
【特許請求の範囲】
【請求項１】
利用者がネットワークを介してサービスを受けるためにサービス業者へのサーバコンピュータ（以下接続サーバ）と前記利用者が所有するネット家電間は情報通信回線を介して、前記ネット家電からの接続により通信可能な状態にあり、前記接続サーバでは前記各ネット家電がインターネット接続に必要な接続情報（以下、ＩＳＰ接続情報）を蓄積するネット家電設定情報蓄積手段、およびサービス受信情報の複製を制限する情報制限手段を有し、前記ネット家電からの接続確立時に端末機器特定番号（前記ネット家電が設置された家庭宅の識別番号）による認証を行う端末機器特定認証手段、前記ネット家電からのＩＳＰ接続情報要求に応じて、前記ネット家電設定情報蓄積手段に蓄積された前記ＩＳＰ接続情報を検索する検索処理手段、前記端末機器特定に対応する前記ＩＳＰ接続情報を前記ネット家電に送信するＩＳＰ接続情報送信手段を含み、各前記ネット家電は、前記接続サーバに接続を行う接続手段と前記ＩＳＰ接続情報を受信するＩＳＰ接続情報受信手段を含むことを特徴とするネット家電接続方法。
【請求項２】
接続サーバでは各ネット家電がインターネット接続に必要な接続情報（以下、ＩＳＰ接続情報）を蓄積するネット家電設定情報蓄積手段、およびサービス受信情報の複製を制限する情報制限手段を有し、前記ネット家電からの接続確立時に端末ＩＤによる認証を行う端末ＩＤ認証手段、前記ネット家電からのＩＳＰ接続情報要求に応じて、前記ネット家電設定情報蓄積手段に蓄積された前記ＩＳＰ接続情報を検索する検索処理手段、前記端末ＩＤに対応する前記ＩＳＰ接続情報を前記ネット家電に送信するＩＳＰ接続情報送信手段を含み、各前記ネット家電は、前記端末ＩＤ、及び前記接続サーバのアクセス先を蓄積する手段、前記接続サーバへの接続を行う手段、及び前記ＩＳＰ接続情報を受信するＩＳＰ接続情報受信手段を含むことを特徴とするネット家電接続システム。
【請求項３】
前記ネット家電設定情報蓄積手段は、少なくとも、各前記ネット家電に対応する前記端末機器の特定と前記端末機器特定に対応する前記ＩＳＰ接続情報を蓄積すること、およびサービス受信情報の複製を制限する情報制限手段を有することを特徴とする請求項１記載のシステム。
【請求項４】
前記ネット家電設定情報蓄積手段は、少なくとも、各前記ネット家電に対応する前記端末ＩＤと前記端末ＩＤに対応する前記ＩＳＰ接続情報を蓄積すること、およびサービス受信情報の複製を制限する情報制限手段を有することを特徴とする請求項２記載のシステム。
【発明の詳細な説明】
【０００１】
【発明の属する技術分野】
本発明は、インターネット接続を行うときの接続に係り、特にネット家電に適したサービスの複製の制限をかけるシステムに関する。
【０００２】
【従来の技術】
従来、ネット家電からインターネットにアクセスするための方法としては以下のような方法がある。ネット家電を家庭に設置後、認証番号（アカウント、ＩＤ）、暗証番号（パスワード）、及び接続先のアクセスポイント番号等のＩＳＰ接続情報を画面を見ながらキーボードやボタン等で入力した後に、ＩＳＰに接続を行いサービスを受ける方法がある（例えば、コンテンツの閲覧や機器の遠隔制御など）。
【０００３】
【発明が解決しようとする課題】
上述のようにＩＳＰへの接続行い、サービスを受けるための従来の方法では、サービス業者が提供するサービスが他の使用者へ違法に複製されたり、自由に使われてしまい、サービス事業者の投資が回収できない問題があった。
【０００４】
本発明はかかる問題点に鑑みてなされたものであり、その目的は、サービス事業者がインターネット上で提供するサービスを契約されている使用者のみ使用できることを可能にするネット家電接続システムを提供することにある。
【０００５】
【課題を解決するための手段】
本発明（請求項１）におけるシステムは、接続サーバと各ネット家電間は情報通信回線を介して、各ネット家電からの接続により通信可能な状態にあり、接続サーバでは各ネット家電がインターネット接続に必要な接続情報（以下、ＩＳＰ接続情報）を蓄積するネット家電設定情報蓄積手段およびサービス受信情報の複製を制限する情報制限手段と、ネット家電からの接続確立時に端末機器特定（ネット家電が設置された家庭宅の識別番号）による認証を行う端末機器特定認証手段、ネット家電からのＩＳＰ接続情報要求に応じて、ネット家電設定情報蓄積手段に蓄積されたＩＳＰ接続情報を検索する検索処理手段、端末機器特定に対応するＩＳＰ接続情報をネット家電に送信するＩＳＰ接続情報送信手段を含み、各ネット家電は、接続サーバへの接続を行う接続手段とＩＳＰ接続情報を受信するＩＳＰ接続情報受信手段を含む。
【０００６】
本発明（請求項１）における原理を図１に示す。サービス事業者はサービス受信情報の複製を情報制限手段で設定する（ステップ１）。ネット家電は接続サーバに接続のための手続を行われ（スッテプ２）、その際、端末機器の特定できた旨の通知を行う（スッテプ３）。接続サーバはネット家電からの接続を受け、端末機器特定による認証とそれに対応するＩＳＰ接続情報の取得を行い（ステップ４）、ネット家電に対してＩＳＰ接続情報およびサービス受信情報の複製を制限する情報を送信する（ステップ５）。ネット家電は接続サーバから受信したＩＳＰ接続情報およびサービス受信情報の複製を制限する情報を情報制限手段２１１に設定し、ＩＳＰに接続を行い（スッテプ６）、その後、ＩＳＰとの間で認証番号、暗証番号をもとに接続が確立されるとともに、制限を受けているサービスは受信されても無視される（ステップ７）。
【０００７】
本発明（請求項２）におけるシステムは、接続サーバでは各ネット家電がインターネット接続に必要な接続情報（以下、ＩＳＰ接続情報）を蓄積するネット家電設定情報蓄積手段と、ネット家電からの接続確立時に端末ＩＤによる認証を行う端末ＩＤ認証手段、ネット家電からのＩＳＰ接続情報要求に応じて、ネット家電設定情報蓄積手段に蓄積されたＩＳＰ接続情報を検索する検索処理手段、端末ＩＤに対応するＩＳＰ接続情報をネット家電に送信するＩＳＰ接続情報送信手段を含み、各ネット家電は、端末ＩＤ、及び接続サーバのアクセス先を蓄積する手段、接続サーバへの接続を行う手段、及びＩＳＰ接続情報を受信するＩＳＰ接続情報受信手段を含む。
【０００８】
本発明（請求項２）における原理を図２に示す。サービス事業者はサービス受信情報の複製を情報制限手段で設定する（ステップ１）。ネット家電は接続サーバに接続を行い（ステップ２）、その際、端末ＩＤの通知を行う（スッテプ３）。接続サーバはネット家電からの接続を受け、端末ＩＤによるＨＴＴＰダイジェスト認証とそれに対応するＩＳＰ接続情報の取得を行い（ステップ４）、ネット家電に対してＩＳＰ接続情報およびサービス受信情報の複製を制限する情報を送信する（ステップ５）。ネット家電は接続サーバから受信したＩＳＰ接続情報およびサービス受信情報の複製を制限する情報を情報制限手段２１１に設定して、ＩＳＰに接続を行い（スッテプ６）、その後、ＩＳＰとの間で認証番号、暗証番号をもとに接続が確立されるとともに制限を受けているサービスは受信されても無視される（ステップ７）。
【０００９】
本発明（請求項３）におけるネット家電設定情報蓄積手段は、少なくとも、各ネット家電に対応する端末機器特定と端末機器特定対応するＩＳＰ接続情報およびサービス受信情報の複製を制限する情報を蓄積する。
【００１０】
本発明（請求項４）におけるネット家電設定情報蓄積手段は、少なくとも、各ネット家電に対応する端末ＩＤと端末ＩＤに対応するＩＳＰ接続情報およびサービス受信情報の複製を制限する情報を蓄積する。
【００１１】
【発明実施の形態】
図７に本発明（請求項１）のシステム構成を示す。本発明（請求項１）におけるシステムは、ネット家電１００、ネット家電に付随する画面１１０、及び接続サーバ２００から構成される。
【００１２】
【実施例】
以下本発明（請求項１及び４）の実施例について述べる。図１１はネット家電をＩＳＰに接続し、サービスを受けるまでの実施例を示した図である。
【００１３】
サービス事業者５００は、ネット家電１００が家庭に設置される前、予め、設置対象家庭の識別番号（端末機器特定）、前記識別番号に対応するＩＳＰへの接続情報およびサービス受信情報の複製を制限する情報を接続サーバ２００に入力する（ステップ１）。例えば、Ｗｅｂサーバの機能を有する接続サーバ２００に対して、インターネット７００を介して、サービス事業者はＷｅｂブラウザを有する管理端末の画面より入力を行う。
【００１４】
ネット家電１００には、予め、接続サーバ２００の接続先のアクセスポイント、接続時の認証番号（アカウント、ＩＤ）、暗証番号（パスワード）等が格納されている。ネット家電１００は家庭に設置後、電源をＯＮすると、端末機器特定を通知して、接続サーバ２００に情報通信回線６００を介して、接続を行う（ステップ２）。接続サーバ２００はネット家電１００からの接続を受信し、ステップ１にて入力されている情報（図７におけるＩＳＰ情報蓄積部２３０）をもとに端末機器特定に対応するＩＳＰ接続情報およびサービス受信情報の複製を制限する情報をネット家電１００に通知する（ステップ３）。例えば、ステップ２及びステップ３は接続サーバ２００にＷｅｂサーバ機能、ネット家電にＷｅｂクライアント機能を有し、ＨＴＴＰプロトコルによって通信を行う。ネット家電は予め、前記の情報（識別番号、認証番号、暗証番号）に加え、接続サーバ２００のＵＲＬを格納し、ネット家電１００からのＧＥＴリクエスト送信（ステップ２）後、接続サーバ２００はＨＴＴＰ応答を用いてＩＳＰ接続情報を送信ずる（ステップ３）。
ネット家電１００は接続サーバ２００からのＩＳＰ接続情報の通知（ステップ３）を受け、その情報をもとにＩＳＰ４００に情報通信回線６００を介して、接続を行い（ステップ５）、インターネットへの接続が可能となる。
【００１５】
前記実施例では、ネット家電１００と接続サーバ２００間の通信（ステップ２及びステップ３）にＨＴＴＰプロトコルを用いているが、前記の実施例に限定されることなく、特許請求の範囲内で種種応用が可能である。
【００１６】
【発明の効果】
上述のように、本発明によれば、ネット家電１００が家庭に設置された後に、サービス事業者が提供するサービスコンテンツ等が他への転用に制限をかけているので、契約されている使用者のみ使用でき、サービス事業者のビジネスを効果的に運用できるることを可能にする効果を奏する。
【図面の簡単な説明】
【図１】本発明（請求項１）の原理を説明するための図
【図２】本発明（請求項２）の原理を説明するための図
【図３】本発明（請求項１）の接続サーバ構成図
【図４】ネット家電設定情報蓄積部２３０を示す図
【図５】本発明（請求項２）の接続サーバ構成図
【図６】ネット家電設定情報蓄積部２３１を示す図
【図７】本発明の実施例を説明するための図
【符号の説明】
１００　ネット家電
１１０　ネット家電に付随する画面
２００　接続サーバ
２１０　受信部
２１１　情報制限手段
２２０　端末機器特定認証部
２２１　端末ＩＤ認証部
２３０　ネット家電設定情報蓄積部
２３１　ネット家電設定情報蓄積部
２４０　送信部
４００　ＩＳＰ
５００　サービス事業者
６００　情報通信回線網
７００　インターネット
【図１】
2004145515.tif 000003
【図２】
2004145515.tif 000004
【図３】
2004145515.tif 000005
【図４】
2004145515.tif 000006
【図５】
2004145515.tif 000007
【図６】
2004145515.tif 000008
【図７】
2004145515.tif 000009